(57)【要約】記録装置（１）が、情報信号（ＦＳ）において送信される放送ＩＤ（ＶＰＳ−ＳＩ、ＶＰＳ−ＰＩ）及び放送開始時間（ＳＢＺ）のエントリにより情報放送の該情報信号（ＦＳ）を記録するためにプログラムされ得る。記録装置（１）の記録モードは、前記放送ＩＤ（ＶＰＳ−ＳＩ、ＶＰＳ−ＰＩ）が受信した情報信号（ＦＳ）において検出される場合、及び記録開始時間（ＡＢＺ）に到達する場合の両方においてアクティブにされる。記録開始時間には、前記プログラムされた情報放送の放送開始時間（ＳＢＺ−ＰＩ）よりリード期間（ＶＺ）前に到達する。情報放送の記録のプログラミング中、放送終了時間（ＳＥＺ）が入力された場合、記録装置（１）の記録モードは、一方における、受信した情報信号（ＦＳ）における放送ＩＤ（ＶＰＳ−ＳＩ、ＶＰＳ−ＰＩ）が検出されない場合、及び他方における、記録終了時間（ＡＥＺ）に到達する場合にのみデアクティブにされる。記録終了時間には、前記プログラムされた情報放送の放送終了時間（ＳＥＺ）よりトレイリング期間（ＮＺ）後に到達する。
2004515978.tif 000002
【特許請求の範囲】
【請求項１】
記録のためにプログラムされ、放送ＩＤ及び放送開始時間により識別される情報放送の情報信号をエラートレラント記録する記録装置であって、情報放送及び関連する放送ＩＤが送信され得る情報信号を受信するための受信手段と、当該記録装置の記録モードにおいて記録担体に前記受信した情報信号を記録するための記録手段と、プログラムされた情報放送の放送ＩＤが情報信号において検出される場合、または前記プログラムされた情報放送の記録開始時間に到達する場合の何れかにおいて前記記録モードをアクティブにするための記録制御手段とを持ち、前記記録開始時間に前記プログラムされた情報放送の放送開始時間よりリード期間前に到達する、記録装置。
【請求項２】
請求項１に記載の記録装置において、
前記プログラムされた情報放送の終わりが、放送終了時間により規定され、前記記録制御手段が、前記プログラムされた情報放送の前記放送ＩＤがないことを検出する場合、及び前記プログラムされた情報放送の記録終了時間に到達する場合の両方において前記記録モードをデアクティブにするように構成され、前記記録終了時間に前記プログラムされた情報放送の放送終了時間よりトレイリング期間後に到達することを特徴とする記録装置。
【請求項３】
請求項１に記載の記録装置において、マーキング手段が設けられ、該マーキング手段は、当該記録装置の記録モードにおいて、前記情報信号において受信される放送ＩＤが変化する場合に前記記録担体に現在の記録位置を規定するマーキング情報を記憶するように構成されることを特徴とする記録装置。
【請求項４】
請求項１に記載の記録装置において、
オフライン分析手段が設けられ、該オフライン分析手段は、前記記録モードのデアクティブ化後、前記記録された情報信号を分析し、マーキング情報を用いて共通の特徴を持つ前記記録された情報信号の情報信号部分をマークするように構成され、分析されるべき前記特徴は、例えば、前記記録された情報信号の、画像周波数、画像コンテンツの物体の速さ情報、画像コンテンツの文字情報、画像コンテンツの色情報、または音声情報であることを特徴とする記録装置。
【請求項５】
請求項３または４に記載の記録装置において、
前記オフライン分析手段は、前記記録手段に記録された前記情報放送の記憶されたマーキング情報を再生開始位置として規定する及び／又は記憶されたマーキング情報を再生終了位置として規定するように構成されることを特徴とする記録装置。
【請求項６】
請求項１に記載の記録装置において、
前記記録制御手段は、前記プログラムされた情報放送の前に送信される情報放送の放送ＩＤが受信される情報信号に含まれる放送ＩＤの列にもはや検出されない場合に前記記録モードをアクティブにするように構成されることを特徴とする記録装置。
【請求項７】
請求項１に記載の記録装置において、
前記記録制御手段は、前記プログラムされた情報放送の後に送信される情報放送の放送ＩＤが受信される情報信号に含まれる放送ＩＤの列に既に検出される場合に前記記録モードをデアクティブにするように構成されることを特徴とする記録装置。
【請求項８】
請求項１に記載の記録装置において、
他の情報信号を受信するための他の受信手段が設けられ、他のプログラム可能な情報放送及び関連する放送ＩＤが該他の情報信号において送信され得ることを特徴とする記録装置。
【請求項９】
請求項１に記載の記録装置において、
記録スケジュール手段が設けられ、記録されるべき情報放送が該記録スケジュール手段によりプログラムされ得、該記録スケジュール手段は、前記受信手段により受信される電子番組情報を評価するように構成され、該電子番組情報は、前記記録されるべき情報信号において来るべき情報放送の放送開始時間及び予測される放送ＩＤの列の両方を含むことを特徴とする記録装置。
【請求項１０】
請求項１に記載の記録装置において、
前記記録担体はハードディスクの形態をとることを特徴とする記録装置。
【請求項１１】
請求項１に記載の記録装置において、
前記記録制御手段は、放送ＩＤを形成するＶＰＳコードを復号するためのＶＰＳデコーダ手段を含むことを特徴とする記録装置。
【請求項１２】
記録のためにプログラムされ、放送ＩＤ及び放送開始時間により識別される情報放送の情報信号をエラートレラント記録する記録方法であって、情報放送及び関連する放送ＩＤが送信され得る情報信号を受信する工程と、記録モードがアクティブの場合に前記受信した情報信号を記録する工程と、プログラムされた情報放送の放送ＩＤが情報信号において検出される場合、または前記プログラムされた情報放送の記録開始時間に到達する場合の何れかにおいて前記記録モードをアクティブにする工程とが実行され、前記記録開始時間に前記プログラムされた情報放送の放送開始時間よりリード期間前に到達する、記録方法。
【請求項１３】
請求項１２に記載の記録方法において、
前記プログラムされた情報放送の終わりが、放送終了時間により規定され、前記記録モードが、前記プログラムされた情報放送の前記放送ＩＤがないことを検出する場合、及び前記プログラムされた情報放送の記録終了時間に到達する場合の両方においてデアクティブにされ、前記記録終了時間に前記プログラムされた情報放送の放送終了時間よりトレイリング期間後に到達することを特徴とする記録方法。
【発明の詳細な説明】
【０００１】
【発明の属する技術分野】
本発明は、記録のためにプログラムされ、放送ＩＤ（ｂｒｏａｄｃａｓｔ ｉｄｅｎｔｉｆｉｃａｔｉｏｎ）により識別される情報放送の情報信号を記録する記録装置に関する。
【０００２】
本発明は更に、記録用にプログラムされ、放送ＩＤにより識別される情報放送の情報信号を記録する記録方法に関する。
【０００３】
【従来の技術】
斯かる記録装置及び斯かる記録方法は、欧州特許出願公開第ＥＰ ０ ４９２ ２９８ Ａ２号公報から知られている。既知の記録装置は、プログラムされたテレビジョン放送のテレビジョン信号を記録するための記録手段を持つビデオレコーダの形態をとる。既知のビデオレコーダを用いて、ユーザにより選択されたテレビジョン放送は、いわゆるＶＰＴプログラミングシステムを用いて記録のためにプログラムされ得る。そのプログラムのために、テレビジョン信号において受信される放送情報（テレテキスト）が、ビデオレコーダに接続されたテレビジョンセットにより表示される。ユーザは、表示された番組情報（ｐｒｏｇｒａｍ ｉｎｆｏｒｍａｔｉｏｎ）から所望のテレビジョン放送のタイトルを選択することができる。これにより、番組情報におけるこのテレビジョン放送に割り当てられたＶＰＳコードが、ビデオレコーダの記録制御手段に記憶される。
【０００４】
各テレビジョン放送に対して、当該テレビジョン放送を識別するＶＰＳコードが、ビデオレコーダの受信手段により受信されるテレビジョン信号において送信される。記録のためにプログラムされたテレビジョン放送を識別するＶＰＳコードが受信される期間、記録制御手段はビデオレコーダの記録モードをアクティブ（ａｃｔｉｖａｔｅ）にし、ユーザにより所望とされプログラムされたテレビジョン放送が記録される。
【０００５】
既知のビデオレコーダは、プログラムされたテレビジョン放送が受信される前の然るべき時に、該プログラムされたテレビジョン放送の不正なＶＰＳコード（このコードは、記録されるべきテレビジョン放送のプログラミング中に番組情報に含まれる）を訂正するためのエラー訂正手段を持つ。この目的のために、エラー訂正手段は、番組情報に含まれる、プログラムされたテレビジョン放送のＶＰＳコードがテレビ局により変更されたかどうかを周期的にチェックする。エラー訂正手段が斯かるＶＰＳコードの変更を検出した場合、プログラムされたテレビジョン放送の変更されたＶＰＳコードが、ビデオレコーダの記録制御手段に記憶される。
【０００６】
【発明が解決しようとする課題】
不幸なことに、テレビ局からの番組情報における不正なＶＰＳコードは希にしか訂正されず、その結果、ＶＰＳコード等の放送ＩＤを用いてプログラムされるテレビジョン放送はしばしば全然記録されない、という既知の記録装置及び既知の記録方法の不利な点があることが分かった。更に、既知のビデオレコーダの電力消費が、番組情報を周期的に走査し、テストする結果として比較的大きい。それ故、ユーザにとって非常に有り難がられる“低電力スタンバイモード”を既知のビデオレコーダを用いて実現することができない。
【０００７】
【課題を解決するための手段】
本発明の目的は、上述した不利な点を含まない、第１段落に規定されたタイプの記録装置を提供することにある。斯かる記録装置を用いてこの目的を達成するために、当該記録装置を以下に規定されるように特徴付け得るようにして、本発明による特徴的なフィーチャが提供される。
【０００８】
記録のためにプログラムされ、放送ＩＤ及び放送開始時間により識別される情報放送の情報信号をエラートレラント記録する記録装置であって、情報放送及び関連する放送ＩＤが送信され得る情報信号を受信するための受信手段と、当該記録装置の記録モードにおいて記録担体に前記受信した情報信号を記録するための記録手段と、プログラムされた情報放送の放送ＩＤが情報信号において検出される場合、または前記プログラムされた情報放送の記録開始時間に到達する場合の何れかにおいて前記記録モードをアクティブにするための記録制御手段とを持ち、前記記録開始時間に前記プログラムされた情報放送の放送開始時間よりリード期間前に到達する、記録装置。
【０００９】
本発明の他の目的は、上述した不利な点を含まない、第２段落に規定されたタイプの記録方法を提供することにある。斯かる記録方法を用いてこの目的を達成するために、当該記録方法を以下に規定されるように特徴付け得るようにして、本発明による特徴的なフィーチャが提供される。
【００１０】
記録のためにプログラムされ、放送ＩＤ及び放送開始時間により識別される情報放送の情報信号をエラートレラント記録する記録方法であって、情報放送及び関連する放送ＩＤが送信され得る情報信号を受信する工程と、記録モードがアクティブの場合に前記受信した情報信号を記録する工程と、プログラムされた情報放送の放送ＩＤが情報信号において検出される場合、または前記プログラムされた情報放送の記録開始時間に到達する場合の何れかにおいて前記記録モードをアクティブにする工程とが実行され、前記記録開始時間に前記プログラムされた情報放送の放送開始時間よりリード期間前に到達する、記録方法。
【００１１】
これは、時間制御され及び放送ＩＤにより制御され、プログラムされたテレビジョン放送を首尾良く記録する非常に高い信頼性を達成することを可能にする記録モードが得られる、という利点を持つ。斯くして、プログラムされたテレビジョン放送の始まりが、記録制御手段に記憶された若しくは情報信号において受信される放送ＩＤが不正である場合、またはテレビジョン放送スケジュールの変更に起因して記録開始時間の前に当該テレビジョン放送が既に一部若しくは全部送信されてしまう場合にも記録される。リード期間（ｌｅａｄ ｔｉｍｅ ｉｎｔｅｒｖａｌ）を設ける結果、所望のテレビジョン放送が首尾良く記録される見込み（ｐｒｏｂａｂｉｌｉｔｙ）が一層高いものとなる。
【００１２】
請求項２及び請求項１３に規定される対策は、プログラムされたテレビジョン放送が、記録制御手段に記憶される若しくは情報信号において受信される放送ＩＤが不正である場合、または当該テレビジョン放送が記録終了時間後に一部若しくは全部送信される場合にも最後まで記録される、という利点を持つ。トレイリング期間（ｔｒａｉｌｉｎｇ ｔｉｍｅ ｉｎｔｅｒｖａｌ）を設ける結果、所望のテレビジョン放送が首尾良く記録される見込みが一層高いものなる。
【００１３】
請求項３に規定される対策は、放送ＩＤをもって受信され、斯くして、高い見込みを持って情報放送に割当てられ得る情報信号部分が、該情報信号の記録中にマーキング情報により予めマークされる、という利点を持つ。
【００１４】
請求項４及び５に規定される対策は、プログラムされたテレビジョン放送の記録後、オフライン分析手段が、記録された情報信号を分析し、斯くして利用可能になった全ての情報を、記録されたテレビジョン放送の後の再生のために所望のテレビジョン放送が実際に記録されている記録担体の記録領域をマークするために用いる、という利点を持つ。これは、記録担体の他の記録領域を他のテレビジョン放送の記録のために解放することができ、その結果として、記録担体の記憶容量の効果的な利用が得られる、という利点を持つ。
【００１５】
請求項６に規定される対策は、プログラムされたテレビジョン放送の放送ＩＤが不正である場合にも、正確にタイミングがとられた記録モードのアクティブ化（ａｃｔｉｖａｔｉｏｎ）の利点が先行する放送ＩＤに起因して得られる、という利点を持つ。
【００１６】
請求項７に規定される対策は、プログラムされたテレビジョン放送の放送ＩＤが不正である場合にも、正確にタイミングが取られた記録モードのデアクティブ化（ｄｅａｃｔｉｖａｔｉｏｎ）の利点が後続する放送ＩＤに起因して得られる、という利点を持つ。
【００１７】
請求項８に規定される対策は、プログラムされた情報放送同士が、リード期間及びトレイリング期間によりもたらされ得る重なりをもつ異なる情報信号に関する記録期間において受信される場合にも、両方のプログラムされた情報放送の完全な記録が保証される、という利点を持つ。
【００１８】
請求項９に規定される対策は、受信した番組情報からの所望のテレビジョン放送の選択により、ユーザが、放送ＩＤの列、プログラムされたテレビジョン放送の放送ＩＤ、並びにプログラムされたテレビジョン放送の放送開始時間及び放送終了時間を記録装置に記憶するという利点を持つ。斯くして、記録制御手段に必要とされる情報及びオフライン分析手段のための情報が記録装置に記憶される。
【００１９】
請求項１０に規定される対策は、複数の情報放送を同時に並列に記録することができるという利点を持つ記録装置を提供する。
【００２０】
本発明を、例として図に示されているが、本発明を限定するものではない実施例を参照して以下より詳細に述べる。
【００２１】
【発明の実施の形態】
図１は、ハードディスクレコーダ１を示している。ハードディスクレコーダ１には、アンテナ２及びテレビジョンセット３が接続されている。アンテナ２からハードディスクレコーダ１に供給されるアンテナ信号ＡＳは、該ハードディスクレコーダ１のアナログチューナ４に供給され得る。斯くして、チューナ４は、テレビジョン信号ＦＳにより形成される情報信号を受信するための受信手段を形成する。アンテナ信号ＡＳは、例えばＣＮＮやＡＲＤ等の種々の放送局からの複数のテレビジョン信号ＦＳを送信する。これらの局の１つを識別するチューナ情報ＴＩは、チューナ４に供給され得る。チューナ４は、アンテナ信号ＡＳにおいて受信され、チューナ情報ＴＩにより識別されるテレビジョン信号ＦＳを供給するように構成されている。
【００２２】
ハードディスクレコーダ１は、信号処理段５を含む。チューナ４は、信号処理段５にテレビジョン信号ＦＳを供給する。信号処理段５は、テレビジョン信号ＦＳを処理し、ディジタル記録データＡＤを供給するように構成されている。この目的に必要とされるテレビジョン信号ＦＳの処理は、当業者にとって共通の知識である。
【００２３】
ハードディスクレコーダ１は、記録手段６を持つ。記録手段６は、ハードディスク段７及び記録担体としてハードディスク８を含み、ハードディスクレコーダ１の記録モードにおいてテレビジョン放送の記録データＡＤを記録するように構成されている。ハードディスクレコーダ１の記録モードにおいて、ハードディスク段７は、記録制御情報ＡＳＩを受信し、それに応じて、ハードディスク段７は、信号処理段５により供給される記録データＡＤを、正しい時間の関係を持って、正しいフォーマットで回転ハードディスク８上に記録する。そして、ハードディスク段７は、ハードディスク８上の現在の記録位置を識別する記録位置情報ＡＰＩを供給する。これに必要とされるハードディスク段７による処理は、当業者にとって既知である。
【００２４】
ハードディスク８上に記録される記録データＡＤは、ハードディスクレコーダ１の再生モードにおいて再生データＷＤとして再生され得る。ハードディスクレコーダ１の再生モードにおいて、ハードディスク段７は、再生制御情報ＷＳＩを受信し、それに応じて、ハードディスク段７は、再生制御情報ＷＳＩにより規定される再生開始位置ＷＡＰから再生制御情報ＷＳＩにより規定される再生終了位置ＷＥＰまでハードディスク８から再生データＷＤを読出す。ハードディスク段７により読出された再生データＷＤは、信号処理段５により処理され、再生テレビジョン信号ＷＦＳとして供給される。
【００２５】
ハードディスクレコーダ１は更に、出力手段９を持つ。チューナ４からのテレビジョン信号ＦＳ及び信号処理手段５からの再生テレビジョン信号ＷＦＳが、出力手段９に供給され得る。ハードディスクレコーダ１の動作モードに依存して、出力手段９は、再生信号ＤＳとしてテレビジョンセット３にテレビジョン信号ＦＳまたは再生テレビジョン信号ＷＦＳの何れかを供給する。
【００２６】
ハードディスクレコーダ１は更に、キーパッド１０及び制御手段１１を持つ。キーパッド１０のキーを作動させることにより、ハードディスクレコーダ１のユーザは、記録モードをアクティブにすることができ、キーパッド１０の他のキーを作動させることにより、該ユーザは、ハードディスクレコーダ１の再生モードをアクティブにすることができる。これら動作モードの１つを識別するキー制御情報ＴＳＩが、制御手段１１に供給され得る。制御手段１１は、キー制御情報ＴＳＩに応じて、ハードディスク段７に記録制御情報ＡＳＩまたは再生制御情報ＷＳＩの何れかを供給する。
【００２７】
更に、キーパッド１０のキーの作動により、そのテレビジョン信号ＦＳがチューナ４によりアンテナ信号ＡＳからフィルタリングされるべき放送局を選択することが可能である。次いで、この放送局を識別するチューナ情報ＴＩが、制御手段１１によりチューナ４に供給され得る。
【００２８】
チューナ４により供給されるテレビジョン信号ＦＳは、付加情報も含む。テレビジョン信号ＦＳは、ＶＰＳコードＶＰＳ−ＳＩも搬送する。ＶＰＳコードＶＰＳ−ＳＩは、放送ＩＤを形成し、テレビジョン信号ＦＳにより現在送信されているテレビジョン放送を識別する。ＶＰＳコードＶＰＳ−ＳＩは、標準規格ＥＴＳ ３００ ２３１に定められている。テレビジョン信号ＦＳは、“電子番組ガイド（ＥＰＧ）”により形成される更なる付加情報を搬送する。この情報は、チューナ４を用いて受信され得るテレビジョン信号ＦＳにおいて、次週に受信され得、種々の放送局により送信されるテレビジョン放送に関する番組情報ＰＩを含む。“ＥＰＧ”は、標準規格ＥＴＳ ３００ ７０７に規定されている。
【００２９】
ハードディスクレコーダ１は更に、受信したテレビジョン信号ＦＳに含まれる付加情報を評価するように構成されたデコーダ手段１２を持つ。この目的のために、デコーダ手段１２は、ＶＰＳデコーダ段１３及びＥＰＧデコーダ段１４を含む。ＶＰＳデコーダ段１３は、チューナ４により供給されるテレビジョン信号ＦＳからＶＰＳコードＶＰＳ−ＳＩを抽出し、抽出したＶＰＳコードＶＰＳ−ＳＩを制御手段１１に供給するように構成されている。ＥＰＧデコーダ段１４は、チューナ４により供給される番組情報ＰＩをテレビジョン信号ＦＳから抽出し、抽出した番組情報ＰＩを制御手段１１に供給するように構成されている。
【００３０】
更に、キーパッド１０のキーにより、記録スケジュールモードをアクティブにすることが可能である。記録スケジュールモードにおいては、ＥＰＧデコーダ段１４により復号された番組情報ＰＩが、番組表示情報ＰＤＩとして出力手段９に供給され、該出力手段からテレビジョンセット３に表示信号ＤＳとして供給される。ハードディスクレコーダ１が記録スケジュールモードにある場合、制御手段１１は、テレビジョン放送のタイトルにより、番組制御情報ＰＳＩをＥＰＧデコーダ段１４に供給することができる。このタイトルは、テレビジョンセット３により表示され、プログラムされたテレビジョン放送としてこのテレビジョン放送のテレビジョン信号ＦＳを後で記録するためこのテレビジョン放送をマークするために選択され得る。斯くして、キーパッド１０、制御手段１１及びＥＰＧデコーダ段は記録スケジュール手段を形成する。
【００３１】
更に、ハードディスクレコーダ１は、メモリ手段１５を持つ。メモリ手段１５を用いて、番組情報ＰＩに含まれ、プログラムされたテレビジョン放送に関連する情報が記憶される。この目的のため、制御手段１１は、プログラムされたテレビジョン放送のタイトル、予測放送開始時間（ｅｘｐｅｃｔｅｄ ｂｒｏａｄｃａｓｔ ｓｔａｒｔ ｔｉｍｅ）ＳＢＺ−ＰＩ及び予測ＶＰＳコード（ｅｘｐｅｃｔｅｄ ＶＰＳ ｃｏｄｅ）ＶＰＳ−ＰＩを番組情報ＰＩから読出す。更に、プログラムされたテレビジョン放送の予測放送終了時間（ｅｘｐｅｃｔｅｄ ｂｒｏａｄｃａｓｔ ｅｎｄ ｔｉｍｅ）ＳＥＺ−ＰＩが決定される。この時間は、上記プログラムされたテレビジョン放送に後続するテレビジョン放送の予測放送開始時間ＳＢＺＩ−ＰＩに対応する。プログラムされたテレビジョン放送のタイトル及び予測ＶＰＳコードＶＰＳ−ＰＩは、メモリ手段１５に記憶される。
【００３２】
ここで、制御手段１１は、記録制御手段を形成し、記録開始時間ＡＢＺ及び記録終了時間ＡＥＺを決定するように構成されている。予測放送開始時間より１５分なるリード期間（ｌｅａｄ ｔｉｍｅ ｉｎｔｅｒｖａｌ）ＶＺ前に記録開始時間ＡＢＺに到達し、プログラムされたテレビジョン放送の予測放送終了時間ＳＥＺ−ＰＩより３０分なるトレイリング期間（ｔｒａｉｌｉｎｇ ｔｉｍｅ ｉｎｔｅｒｖａｌ）ＮＺ後に記録終了時間ＡＥＺに到達する。プログラムされたテレビジョン放送の記録開始時間ＡＢＺ及び記録終了時間ＡＥＺは、メモリ手段１５に記憶される。
【００３３】
制御手段１１は、プログラムされたテレビジョン放送の予測ＶＰＳコードＶＰＳ−ＰＩがＶＰＳデコーダ段１３から受信されるＶＰＳコードＶＰＳ−ＳＩに対応する場合、またはプログラムされたテレビジョン放送の記録開始時間ＡＢＺに到達する場合の何れかにおいてハードディスクレコーダ１の記録モードをアクティブにするように構成されている。
【００３４】
これは、時間制御され且つ放送ＩＤ制御されるハードディスクレコーダ１の記録モードが得られ、これにより、プログラムされたテレビジョン放送を非常に高い見込み（ｐｒｏｂａｂｉｌｉｔｙ）を持って首尾よく記録することが可能である、という利点を持つ。斯くして、プログラムされたテレビジョン放送の始まりは、メモリ手段１５に記憶されたＶＰＳコードＶＰＳ−ＰＩ若しくはテレビジョン信号ＦＳにおいて受信されたＶＰＳコードＶＰＳ−ＳＩが不正である場合、またはテレビジョン放送スケジュールの変更の結果として記録開始時間ＡＢＺ前にテレビジョン放送が一部若しくは全体が送信される場合にも記録される。リード期間ＶＺを規定することは、プログラムされたテレビジョン放送の記録を成功させる見込みを一層高いものとする。これらの利点は、ハードディスクレコーダ１の二つの使用例を参照して以下より詳細に述べられるであろう。
【００３５】
ここで、制御手段１１は、プログラムされたテレビジョン放送の予測ＶＰＳコードＶＰＳ−ＰＩがＶＰＳデコーダ段１３から受信されたＶＰＳコードＶＰＳ−ＳＩに対応しない場合、及びプログラムされたテレビジョン放送の記録終了時間ＡＥＺに既に到達したまたは越える場合の両方において、ハードディスクレコーダ１の記録モードをデアクティブにする（ｄｅａｃｔｉｖａｔｅ）ように構成されている。
【００３６】
これは、プログラムされたテレビジョン放送が、メモリ手段１５に記憶されたＶＰＳコードＶＰＳ−ＰＩ若しくはテレビジョン信号ＦＳにおいて受信されるプログラムされたテレビジョン放送のＶＰＳコードＶＰＳ−ＳＩが不正である場合、または遅延の結果として記録終了時間ＡＥＺ後にテレビジョン放送が一部若しくは全体が送信される場合にも終わりまで記録される、という利点を持つ。トレイリング期間ＮＺを規定することは、所望のテレビジョン放送の記録を成功させる見込みを一層高いものとする。これらの利点は、ハードディスクレコーダ１の二つの使用例を参照して以下より詳細に述べられるであろう。
【００３７】
図２は、記録テーブル１６を示している。この記録テーブルを用いて、ハードディスクレコーダ１の二つの使用例を説明する。第１の使用例においては、ハードディスクレコーダ１のユーザが、記録のために“ＳＰＯＲＴＳ”なるタイトルのテレビジョン放送をプログラムすることを望み、このテレビジョン放送は、放送局ＣＮＮにより翌日放送される予定であると仮定する。この目的のために、ユーザは、ハードディスクレコーダ１の記録スケジュールモードをアクティブにし、テレビジョンセット上に表示されたタイトルからこのテレビジョン放送のタイトルを選択する。
【００３８】
次いで、制御手段１１は、ＥＰＧデコーダ段１４により供給される番組情報ＰＩからプログラムされたテレビジョン放送についての以下の情報、即ち、タイトル＝“ＳＰＯＲＴＳ”、予測放送開始時間ＳＢＺ−ＰＩ＝“１５：３０”、予測ＶＰＳコードＶＰＳ−ＰＩ＝“１５：３１”、予測放送終了時間ＳＥＺＩ−ＰＩ＝“１６：２０”を決定する。更に、制御手段１１は、記録開始時間ＡＢＺ＝ＳＢＺ−ＰＩ−１５分＝“１５：１５”及び記録終了時間ＡＥＺ＝ＳＥＺ−ＰＩ＋３０分＝“１６：５０”を決定する。次いで、タイトル、予測ＶＰＳコードＶＰＳ−ＰＩ、記録開始時間ＡＢＺ及び記録終了時間ＡＥＺがメモリ手段１５に記憶され、記録スケジュールモードは終了される。
【００３９】
ここで、プログラムされたテレビジョン放送が放送されるべき日に、制御手段１１は、放送局ＣＮＮからテレビジョン信号ＦＳに逐次含まれてくるＶＰＳコードＶＰＳ−ＳＩの１つが、記憶されたＶＰＳコードＶＰＳ−ＰＩ＝“１５：３１”に対応するかどうか、または記録開始時間ＡＢＺ＝“１５：１５”に既に到達したかどうかをチェックする。これら二つの状況の１つが発生した場合、制御手段１１は記録モードをアクティブにする。
【００４０】
第１の使用例においては、 “ＨＥＬＰ”なるタイトルの先行するテレビジョン放送がそれ程時間をとらなかったため、“ＳＰＯＲＴＳ”なるタイトルのプログラムされたテレビジョン放送が、既に１５：２５から、即ち、５分早く放送されると仮定する。更に、放送局ＣＮＮの技術スタッフによる過ちの結果として、プログラムされたテレビジョン放送“ＳＰＯＲＴＳ”の間に実際に送信されたＶＰＳコードＶＰＳ−ＳＩ＝“１５：２５”が不正であると仮定する。
【００４１】
ここで、制御手段１１は、１５：１５の時点において、プログラムされたテレビジョン放送“ＳＰＯＲＴＳ”に対して決定され記憶された記録開始時間ＡＢＺ＝“１５：１５”に到達したことを検出し、ハードディスクレコーダ１の記録モードをアクティブにする。次いで、１５：１５の時点から開始して、放送局ＣＮＮからのテレビジョン信号ＦＳが記録データＡＤとしてハードディスク８上に記録され、この信号は、テレビジョン放送“ＳＰＯＲＴＳ”により後続されるテレビジョン放送“ＨＥＬＰ”を１０分含む。
【００４２】
実際に受信したＶＰＳコードＶＰＳ−ＳＩのテストは、当該受信したＶＰＳコードＶＰＳ−ＳＩの何れも予測ＶＰＳコードＶＰＳ−ＰＩに対応せず、それ故、プログラムされたテレビジョン放送“ＳＰＯＲＴＳ”は、時間制御式に記録されることを示している。１６：５０の時点において、制御手段１１は、プログラムされたテレビジョン放送“ＳＰＯＲＴＳ”に対して決定され記憶された記録終了時間ＡＥＺ＝“１６：５０”に到達したことを検出し、ハードディスクレコーダ１の記録モードをデアクティブにする。
【００４３】
これは、１５：１５から１６：５０まで記録されるテレビジョン信号ＦＳが、テレビジョン放送“ＳＰＯＲＴＳ”の全体を含み、ユーザは、後の時点においてこのテレビジョン放送を再生することができる、という利点を持つ。このテレビジョン放送“ＳＰＯＲＴＳ”が市販のビデオレコーダでＶＰＳコードＶＰＳ−ＰＩ＝“１５：３１”を用いてプログラムされた場合、このビデオレコーダは、何れにせよ記録モードをアクティブにすることはないであろう。なぜなら、番組情報ＰＩに含まれるＶＰＳコードＶＰＳ−ＰＩが送信されることがないからである。このテレビジョン放送“ＳＰＯＲＴＳ”が市販のビデオレコーダで放送開始時間ＳＢＺ＝１５：３０を用いて及び放送終了時間ＳＥＺ＝１６：２０を用いてプログラムされた場合、このビデオレコーダは、当該プログラムされたテレビジョン放送の一部しか記録せず、これも不利な点である。
【００４４】
ここで、ハードディスクレコーダ１の制御手段１１は、ハードディスクレコーダ１の記録モードにおいて、テレビジョン信号ＦＳにおいて受信したＶＰＳコードＶＰＳ−ＳＩが変わる場合に、ハードディスク段７により供給される記録位置情報ＡＰＩをマーキング情報ＭＩとして記憶するように構成されるマーキング手段も形成する。斯くして、１５：２５に、第１のマーキング情報ＭＩ１がメモリ手段１５に記憶される。なぜなら、この時点において、ＶＰＳコードＶＰＳ−ＳＩがＶＰＳ−ＳＩ＝“１５：００”からＶＰＳ−ＳＩ“１５：２５”に変わるからである。同様に、１６：２５に、第２のマーキング情報ＭＩ２がメモリ手段１５に記憶される。なぜなら、この時点において、ＶＰＳコードＶＰＳ−ＳＩがＶＰＳ−ＳＩ＝“１５：２５”からＶＰＳ−ＳＩ“１６：２０”に変わるからである。
【００４５】
ここで、制御手段１１、メモリ手段１５及び記録手段６は、記録モードのデアクティブ（ｄｅａｃｔｉｖａｔｉｏｎ）化後記録されたテレビジョン信号ＦＳを分析し、マーキング情報ＭＩを用いて共通の特徴を持つ該記録されたテレビジョン信号ＦＳのテレビジョン信号部分をマークするように構成されるオフライン分析手段を形成する。分析されるべきテレビジョン信号ＦＳの特徴は、例えば、記録されたテレビジョン信号ＦＳの、画像周波数、画像コンテンツの物体の速さ情報、画像コンテンツの文字情報、画像コンテンツの色情報、または音声情報である。テレビジョン信号ＦＳを分析するこれらのタイプは、例えば、多くの刊行物に記載されている、コマーシャルメッセージ検出装置から知られている。
【００４６】
記録モードのデアクティブ化後、制御手段１１は先ず、５０分（＝１６：２０−１５：３０＝５０）なるプログラムされたテレビジョン放送ＦＳの予測継続時間（ｅｘｐｅｃｔｅｄ ｄｕｒａｔｉｏｎ）と、マーキング情報ＭＩの各々の項目の間に記録されたテレビジョン信号部分の継続時間とを比較する。そして、制御手段１１は、最大の相関性が第１のマーキング情報ＭＩ１及び第２のマーキング情報ＭＩ２の間に記録されたテレビジョン信号部分の６０分（＝１６：２５−１５：２５＝６０）なる継続時間で存在することを検出し、第１のマーキング情報ＭＩ１により識別されるハードディスク８上の記録位置を再生開始位置ＷＡＰとして、及び第２のマーキング情報ＭＩ２により識別されるハードディスク８上の記録位置を再生終了位置ＷＥＰとして規定する。
【００４７】
次いで、制御手段１１は、再生モードをアクティブにし、第１のマーキング情報ＭＩ１及び第２のマーキング情報ＭＩ２の前及び後に再生されるテレビジョン信号ＷＦＳを分析する。そして、制御手段１１は、画像周波数がコマーシャルを示し得るかどうかチェックする。更に、制御手段１１は、文字情報が画像情報において検出され得るかどうかチェックする。文字情報は、テレビジョン放送のタイトル、即ち、新しいテレビジョン放送の始まりを示し得るものである。更に、制御手段１１は、厳密に最大限の見込みを持って、プログラムされたテレビジョン放送が、再生開始位置ＷＡＰにより識別されるハードディスク８上の記録位置から再生終了位置ＷＥＰにより識別されるハードディスク８上の記録位置まで記録されるように、プログラムされたテレビジョン放送の再生開始位置ＷＡＰ及び再生終了位置ＷＥＰを規定するために、当業者に知られているテストを実行する。
【００４８】
これは、ユーザが、記録されたテレビジョン放送“ＳＰＯＲＴＳ”の再生のために再生モードをアクティブにする場合、このテレビジョン放送しか再生されず、最初に記録されたテレビジョン放送“ＨＥＬＰ”の終わり及びテレビジョン放送“ＲＥＧＩＯＮＡＬ  ＮＥＷＳ”の始まりが再生されない、という利点を持つ。更に、記録されることをユーザが望まなかったテレビジョン放送ｓのテレビジョン信号ＦＳが記録されている記録領域を、他のテレビジョン放送ｓの記録のために解放することができる、という利点が得られる。この解放は、ユーザによる確認に応じてなされても良く、自動的になされても良い。
【００４９】
第２の使用例においては、ハードディスクレコーダ１のユーザが、テレビジョン放送“ＳＴＯＣＫ ＮＥＷＳ”を記録することを望み、記録スケジュールモードにおいてこのテレビジョン放送をプログラムすると仮定する。これに応じて、以下の情報、即ち、タイトル＝“ＳＴＯＣＫ ＮＥＷＳ”、予測放送開始時間ＳＢＺ−ＰＩ＝“１７：２０”、予測ＶＰＳコードＶＰＳ−ＰＩ＝“１７：２０”、予測放送終了時間ＳＥＺＩ−ＰＩ＝“１７：３０”、記録開始時間ＡＢＺ＝ＳＢＺ−ＰＩ−１５分＝“１７：０５”、及び記録終了時間ＡＥＺ＝ＳＥＺ−ＰＩ＋３０分＝“１８：００”がメモリ手段１５に記憶される。
【００５０】
第２の使用例においては、テレビジョン放送“ＳＴＯＣＫ ＮＥＷＳ”が、証券取引所からの非常にトピックなニュースを鑑みて著しく延長され、１８：１０まで放送されると仮定する。有利なことに、記録モードは、ＶＰＳコードＶＰＳ−ＳＩ＝“１７：２０”が受信される事実の結果として、１８：００において記録終了時間に到達した場合に停止せず、１８：１０においてこのテレビジョン放送の実際の終わりに到達した場合に終了される。斯くして、ハードディスクレコーダ１の記録制御手段は、プログラムされたテレビジョン放送の時間制御される記録及び放送ＩＤ制御される記録の両方の利点をとりわけ有利に用いる一方、各々他方の記録モードの各々の不利な点が回避される。
【００５１】
制御手段はまた、番組情報ＰＩから記録されるべきテレビジョン放送の前及び後にスケジュールされているテレビジョン放送の予測ＶＰＳコードＶＰＳ−ＰＩを抽出し、メモリ手段１５に該コードを記憶することもできることに注意されたい。これに応じて、制御手段は、受信したテレビジョン信号ＦＳに含まれるＶＰＳコードＶＰＳ−ＳＩが、記録されるべきテレビジョン放送の前にスケジュールされているテレビジョン放送の予測ＶＰＳコードＶＰＳ−ＰＩにもはや対応しない場合に記録モードをアクティブにすることができる。同様に、制御手段は、受信したテレビジョン信号ＦＳに含まれるＶＰＳコードＶＰＳ−ＳＩが、記録されるべきテレビジョン放送の後にスケジュールされているテレビジョン放送の予測ＶＰＳコードＶＰＳ−ＰＩに初めて対応する場合に記録モードをデアクティブにすることができる。
【００５２】
これは、記録されるべき放送の予測ＶＰＳコードＶＰＳ−ＰＩが不正であったり、記録されるべきテレビジョン放送の実際に受信したＶＰＳコードＶＰＳ−ＳＩが不正であった場合でさえ、受信した放送ＩＤにより制御される記録モードが得られる、という利点を持つことになる。
【００５３】
二つのプログラムされたテレビジョン放送ｓが時間で重なり、異なる放送局により放送される場合においてさえ、両テレビジョン放送ｓを完全に記録できることを可能にするように記録装置に第２のチューナを含めることが有利であることに注意されたい。
【００５４】
本発明による記録装置は、例えば磁気テープ、光学媒体または同様のメディア等の他の記録担体に記録データＡＤを記録するようにも構成され得ることに注意されたい。しかしながら、ハードディスクの形態の記録担体がとりわけ有利である。
【００５５】
本発明による記録装置は、ディジタル情報信号を受信し、処理し、記録するようにも構成され得ることに注意されたい。更に、他の例においては、付加情報（放送ＩＤ、番組情報）は、付加的な受信手段を介して、例えばインターネットから受信され得るであろう。
【００５６】
リード期間ＶＺは数秒にできるのみならず、数時間とすることもできることに注意されたい。同様に、トレイリング期間ＮＺは数秒にできるのみならず、数時間とすることもできる。
【００５７】
情報信号はまた、オーディオ信号を含む信号、文字情報を含む信号または他の情報を含む信号とすることもできることに注意されたい。
【００５８】
放送ＩＤ、放送開始時間／記録開始時間及び放送終了時間／記録終了時間はキーパッドのキーを用いてユーザにより入力されても良いことに注意されたい。
【図面の簡単な説明】
【図１】記録のためにプログラムされたテレビジョン放送のテレビジョン信号をエラートレラント記録する記録装置を形成するハードディスクレコーダ１を示す。
【図２】図１に示されるハードディスクレコーダのメモリ手段に記憶される記録テーブルを示す。
【国際公開パンフレット】
2004515978.tif 000003
2004515978.tif 000004
2004515978.tif 000005
2004515978.tif 000006
2004515978.tif 000007
2004515978.tif 000008
2004515978.tif 000009
2004515978.tif 000010
2004515978.tif 000011
2004515978.tif 000012
2004515978.tif 000013
2004515978.tif 000014
2004515978.tif 000015
2004515978.tif 000016
2004515978.tif 000017
2004515978.tif 000018
2004515978.tif 000019
2004515978.tif 000020
【国際調査報告】
2004515978.tif 000021
2004515978.tif 000022